(57)【要約】【課題】  陳列台上に安定的に起立できる台紙付き起立包装体を提供すること。【解決手段】  物品１が台紙２０の表面に添って保持され、台紙２０の一端部が陳列台上に着座する起立底辺部２２とされてなる台紙付き起立包装体１０において、台紙２０の少なくとも起立底辺部２２が曲がり状とされてなるもの。【選択図】  図１
2016050008.tif 000002
【特許請求の範囲】
【請求項１】
物品が台紙の表面に添って保持され、台紙の一端部が陳列台上に着座する起立底辺部とされてなる台紙付き起立包装体において、
台紙の少なくとも起立底辺部が曲がり状とされてなることを特徴とする台紙付き起立包装体。
【請求項２】
前記起立底辺部が折れ曲がり状にされてなる請求項１に記載の台紙付き起立包装体。
【請求項３】
前記起立底辺部が湾曲状にされてなる請求項１に記載の台紙付き起立包装体。
【請求項４】
前記起立底辺部が枠状にされてなる請求項１に記載の台紙付き起立包装体。
【請求項５】
前記物品が、台紙の表面に設けた接着部に接着された筒状の熱収縮フィルムの筒内に挿入され、この熱収縮フィルムの加熱収縮によって台紙上に保持されてなり、
筒状の熱収縮フィルムが台紙の起立底辺部の底辺に沿う方向において離隔する複数か所の表面に設けた複数の接着部に接着されてなる請求項１〜４のいずれかに記載の台紙付き起立包装体。
【発明の詳細な説明】
【技術分野】
【０００１】
本発明は台紙付き起立包装体に関する。
【背景技術】
【０００２】
従来、起立包装体として、特許文献１に記載の如く、台紙の表面に設けた接着部に接着された筒状の熱収縮フィルムの筒内に物品を挿入し、この物品を熱収縮フィルムの加熱収縮によって台紙上に保持してなるものがある。この起立包装体は、台紙の底辺部と、物品の下端部とが、概ね同一面上に設定されて陳列第上に着座され、陳列台上に起立できるものとしている。
【先行技術文献】
【特許文献】
【０００３】
【特許文献１】特開2012-096816号公報
【発明の概要】
【発明が解決しようとする課題】
【０００４】
しかしながら、従来の起立包装体には以下の問題点がある。
(1)従来の台紙は平板状をなし、その底辺部は一直線状をなしている。従って、物品の下端部が台紙の底辺部よりも上方にせり上げられていたり、薄肉の物品で物品の下端部の面積が極めて小なる包装体では、実質的に台紙の一直線状の底辺部だけが陳列台上に着座するものになって倒れ易く、陳列台上にて安定的に起立できない。
【０００５】
(2)従来の台紙は平板状をなし、筒状の熱収縮フィルムが接着された接着部の両側に広く展開している。従って、輸送や保管のために梱包箱に梱包された包装体は、当該梱包箱の内部で台紙を大きく広げ、台紙上に保持された物品の周辺に大きな無駄スペースを形成する。これにより、従来の起立包装体は、大きな輸送又は保管スペースを必要とし、輸送又は保管に高コストを伴う。
【０００６】
本発明の課題は、陳列台上に安定的に起立できる台紙付き起立包装体を提供することにある。
【０００７】
本発明の他の課題は、輸送又は保管スペースを減縮できる台紙付き起立包装体を提供することにある。
【課題を解決するための手段】
【０００８】
請求項１に係る発明は、物品が台紙の表面に添って保持され、台紙の一端部が陳列台上に着座する起立底辺部とされてなる台紙付き起立包装体において、台紙の少なくとも起立底辺部が曲がり状とされてなるようにしたものである。
【０００９】
請求項２に係る発明は、請求項１に係る発明において更に、前記起立底辺部が折れ曲がり状にされてなるようにしたものである。
【００１０】
請求項３に係る発明は、請求項１に係る発明において更に、前記起立底辺部が湾曲状にされてなるようにしたものである。
【００１１】
請求項４に係る発明は、請求項１に係る発明において更に、前記起立底辺部が枠状にされてなるようにしたものである。
【００１２】
請求項５に係る発明は、請求項１〜４のいずれかにに係る発明において更に、前記物品が、台紙の表面に設けた接着部に接着された筒状の熱収縮フィルムの筒内に挿入され、この熱収縮フィルムの加熱収縮によって台紙上に保持されてなり、筒状の熱収縮フィルムが台紙の起立底辺部の底辺に沿う方向において離隔する複数か所の表面に設けた複数の接着部に接着されてなるようにしたものである。
【発明の効果】
【００１３】
（請求項１）
(a)台紙の陳列台上に着座する起立底辺部が一直線状でなく、曲がり状をなしている。物品の下端部が台紙の底辺部よりも上方にせり上げられていたり、薄肉の物品で物品の下端部の面積が極めて小なる包装体にあっても、台紙の曲がり状をなす起立底辺部が陳列台上に着座して倒れにくく、陳列台上に安定的に起立できる。
【００１４】
(b)起立包装体が輸送や保管のために梱包箱に梱包されるとき、物品を保持している台紙が、物品の両側で平板状をなして広く展開することなく、曲がり状をなして物品を包むようなつぼまり状をなす。これにより、台紙上に保持された物品の周辺の無駄スペースを小さくし、輸送又は保管スペースを減縮し、輸送又は保管コストを低減できる。
【００１５】
（請求項２〜４）
(c)起立底辺部が折れ曲がり状、湾曲状又は枠状にされることにより、起立包装体の起立安定性を確実に図ることができる。
【００１６】
（請求項５）
(d)筒状の熱収縮フィルムが台紙の起立底辺部の底辺に沿う方向において離隔する複数か所の表面に設けた複数の接着部に接着される。これにより、物品が挿入された熱収縮フィルムを加熱収縮したとき、台紙の起立底辺部の底辺に沿って相隣る接着部に接着されている熱収縮フィルムは、それらの相隣る接着部の間でも熱収縮する。熱収縮フィルムのこの熱収縮は、台紙の相隣る接着部が設けられていて相隣る部分を互いに引き寄せ、ひいては台紙の起立底辺部を曲がり状に変形させる。起立底辺部の上述の曲がり状の変形は、台紙に設けられる接着部を起立底辺部寄りに設けることによって、より確実化される。
【００１７】
(e)台紙が、起立底辺部の底辺に沿って設けられて相隣る接着部に挟まれる部分に予め折りぐせを設けられているとき、熱収縮フィルムは自然に折れ曲がり状に変形するものになる。この折りぐせが設けられていない台紙であれば、起立底辺部の上述（d）の変形は湾曲状になる。
【図面の簡単な説明】
【００１８】
【図１】図１は実施例1の起立包装体を示す模式斜視図である。
【図２】図２は起立包装体の端面視であり、（Ａ）は台紙が変形する前の平板状体を示す模式端面図、（Ｂ）は台紙が変形した後の曲がり状態を示す模式端面図である。
【図３】図３は実施例１の変形例に係る起立包装体を示す模式端面図である。
【図４】図４は台紙に設けた折りぐせを示し、（Ａ）はミシン目を設けた台紙の模式端面図、（Ｂ）はハーフカットを設けた台紙の模式端面図、（Ｃ）は筋押しを設けた台紙の模式端面図である。
【図５】図５は実施例２を示し、（Ａ）は台紙が変形する前の平板状態を示す模式斜視図、（Ｂ）は台紙が変形した後の曲がり状態を示す模式斜視図である。
【図６】図６は実施例２の変形例に係る起立包装体を示し（Ａ）は台紙が変形する前の平板状態を示す模式斜視図、（Ｂ）は台紙が変形した後の曲がり状態を示す模式斜視図である。
【図７】図７は実施例３の起立包装体を示し（Ａ）は模式斜視図、（Ｂ）は模式端面図である。
【図８】図８は実施例３の変形例に係る起立包装体を示す模式斜視図である。
【図９】図９は実施例４の起立包装体を示し、（Ａ）は模式斜視図、（Ｂ）は模式端面図である。
【図１０】図１０は参考例を示し、（Ａ）は陳列段階の起立包装体を示す模式斜視図、（Ｂ）は輸送又は保管段階の起立包装体を示す模式斜視図である。
【発明を実施するための形態】
【００１９】
（実施例１）（図１〜図４）
図１、図２に示した起立包装体１０は、例えば化粧品類や文房具類等の物品１が台紙２０の表面に沿って保持され、台紙２０の下端部２１Ｄが陳列台上に着座する起立底辺部２２とされる。
【００２０】
尚、本実施例において、台紙２０の起立底辺部２２と、物品１の下端部とは、概ね同一面上に設定されて陳列台上に着座されるものとしている。但し、物品１の下端部が台紙２０の起立底辺部２２よりも上方にせり上げられていても良い。
【００２１】
物品１は、台紙２０の表面に設けた接着部３０（本実施例では後述する接着部３１、３２）に接着された筒状の熱収縮フィルム４０の筒内に挿入され、この熱収縮フィルム４０の加熱収縮によって台紙２０上に保持される。
【００２２】
台紙２０は、板紙の他、ポリプロピレン（ＰＰ）、塩化ビニル（ＰＶＣ）等の合成樹脂製シートを用いても良い。台紙２０は、表面及び／又は裏面に商品の説明、使用方法等が表示された印刷面を備える。尚、台紙２０は、上端部２１Ｕに吊り下げ用孔を穿設していても良い。
【００２３】
熱収縮フィルム４０は、筒周方向に熱収縮性をもつ一軸延伸フィルムであり、例えば塩化ビニル（ＰＶＣ）、ポリエチレンテレフタレート（ＰＥＴ）等を採用できる。熱収縮フィルム４０は、筒中心軸に沿う上下両端を開口している。熱収縮フィルム４０は、本実施例では透明フィルムからなる。
【００２４】
しかるに、起立包装体１０は、台紙２０の少なくとも起立底辺部２２が折れ曲がり状にされる。本実施例では、台紙２０は、起立底辺部２２（下端部２１Ｄ）〜上端部２１Ｕの全長に渡る範囲を折れ曲がり状とし、台紙２２の底辺に沿う板幅方向の中央部を中央平面２３Ａとし、中央平面２３Ａの両側縁部に定めた２条の折れ曲がり部２３に両側平面２３Ｂ、２３Ｂを連設し、両側平面２３Ｂ、２３Ｂのそれぞれを中央平面２３Ａに対して一定の角度、例えば一定の鈍角を介して折れ曲がり状に斜交させている。
【００２５】
ここで、台紙２０は、図４に示す如く、中央平面２３Ａの両側縁部に定めた２条の折れ曲がり部２３のそれぞれに予め折りぐせ部２４を付してある。図４（Ａ）は台紙２０の下端部２１Ｄ〜上端部２１Ｕの全長に渡って台紙２０の板厚を貫通する貫通孔を断続的に設けたミシン目の折りぐせ部２４Ａを示す。図４（Ｂ）は台紙２０の裏面（表面でも可）（物品１が保持される側を表面とする）の下端部２１Ｄ〜上端部２１Ｕの全長に渡って台紙２０の板厚の半分程度の切込みを連続的に設けたハーフカットの折りぐせ部２４Ｂを示す。
【００２６】
図４（Ｃ）は台紙２０の下端部２１Ｄ〜上端部２１Ｕの全長に渡って、台紙２０の裏面（又は表面）とこれに対応する表面（又は裏面）を雄型と雌型で挟圧し、台紙２０の裏面（又は表面）に凹状をなし、台紙２０の表面（又は裏面）に凸状をなすものとした筋押しの折りぐせ部２４Ｃを示す。
【００２７】
また、熱収縮フィルム４０は、台紙２０の起立底辺部２２の底辺に沿う方向において離隔する複数か所、本実施例では２か所の表面に設けた２個の接着部３１、３２に接着されている。２個の接着部３１、３２は、台紙２０に予め付された２条の折れ曲がり部２３を起立底辺部２２の底辺に沿う板幅方向の外側から挟む位置に設けられる。２個の接着部３１、３２は、台紙２０の上下方向で、台紙２０の下端部２１Ｄ（起立底辺部２２）から物品１の全高さＨの70〜100％の高さ範囲、好適には80％程度の高さ範囲に渡って設けられる。
【００２８】
従って、起立包装体１０は以下の手順で製造される。
(1)台紙２０に定めた２条の折れ曲がり部２３のそれぞれに予め折りぐせ部２４を付す。
【００２９】
(2)台紙２０における表面で、２条の折れ曲がり部２３を外側から挟む２か所の上下方向に沿って、ホットメルト等の２個の接着部３１、３２を設ける。
【００３０】
(3)筒状の熱収縮フィルム４０を台紙２０の表面に設けた２個の接着部３１、３２に接着する。
【００３１】
(4)台紙２０に接着された熱収縮フィルム４０の筒内に物品１を挿入する（図２（Ａ））。
【００３２】
(5)熱収縮フィルム４０に熱風を当てる等により加熱し、収縮させて、物品１を保持する。このとき、熱収縮フィルム４０の熱収縮が、台紙２０における２条の折りぐせ部２４が付された折れ曲がり部２３を挟んで相隣る接着部３１、３２が設けられていて相隣る部分を互いに引き寄せ、ひいては台紙２０の起立底辺部２２を折れ曲がり状に変形させる（図２（Ｂ））。これにより、起立包装体１０が製造される。
【００３３】
尚、実施例１において、台紙２０に折れ曲がり部２３（折りぐせ部２４）が設けられていなければ、上述(5)における台紙２０の起立底辺部２２は図３に示す如くの湾曲状に変形するものになる。
【００３４】
従って、本実施例によれば以下の作用効果を奏する。
(a)台紙２０の陳列台上に着座する起立底辺部２２が一直線状でなく、曲がり状をなしている。物品１の下端部が台紙２０の底辺部２２よりも上方にせり上げられていたり、薄肉の物品１で物品１の下端部の面積が極めて小なる包装体１０にあっても、台紙２０の曲がり状をなす起立底辺部２２が陳列台上に着座して倒れにくく、陳列台上に安定的に起立できる。
【００３５】
(b)起立包装体１０が輸送や保管のために梱包箱に梱包されるとき、物品１を保持している台紙２０が、物品１の両側で平板状をなして広く展開することなく、曲がり状をなして物品１を包むようなつぼまり状をなす。これにより、台紙２０上に保持された物品１の周辺の無駄スペースを小さくし、輸送又は保管スペースを減縮し、輸送又は保管コストを低減できる。
【００３６】
(c)起立底辺部２２が折れ曲がり状又は湾曲状にされることにより、起立包装体１０の起立安定性を確実に図ることができる。
【００３７】
(d)筒状の熱収縮フィルム４０が台紙２０の起立底辺部２２の底辺に沿う方向において離隔する複数か所の表面に設けた複数の接着部３１、３２に接着される。これにより、物品１が挿入された熱収縮フィルム４０を加熱収縮したとき、台紙２０の起立底辺部２２の底辺に沿って相隣る接着部３１、３２に接着されている熱収縮フィルム４０は、それらの相隣る接着部３１、３２の間でも熱収縮する。熱収縮フィルム４０のこの熱収縮は、台紙２０の相隣る接着部３１、３２が設けられていて相隣る部分を互いに引き寄せ、ひいては台紙２０の起立底辺部２２を曲がり状に変形させる。起立底辺部２２の上述の曲がり状の変形は、台紙２０に設けられる接着部３１、３２を起立底辺部２２寄りに設けることによって、より確実化される。
【００３８】
(e)台紙２０が、起立底辺部２２の底辺に沿って設けられて相隣る接着部３１、３２に挟まれる部分に予め折りぐせ部２４を設けられているとき、熱収縮フィルム４０は自然に折れ曲がり状に変形するものになる。この折りぐせ部２４が設けられていない台紙２０であれば、起立底辺部２２の上述（d）の変形は湾曲状になる。
【００３９】
（実施例２）（図５、図６）
図５に示した起立包装体１００は、物品１が台紙１２０（実施例１の台紙２０の材質等と同じ）の表面に沿って保持され、台紙１２０の下端部１２１Ｄが陳列台上に着座する起立底辺部１２２とされる。
【００４０】
尚、本実施例において、台紙１２０の起立底辺部１２２と、物品１の下端部とは、概ね同一面上に設定されて陳列台上に着座されるものとしている。但し、物品１の下端部が、台紙１２０の起立底辺部１２２よりも上方にせり上げられていても良い。
【００４１】
物品１は、台紙１２０の表面に設けた接着部１３０に接着した筒状の熱収縮フィルム１４０（実施例１の熱収縮フィルム４０の材質等と同じ）の筒内に挿入され、この熱収縮フィルム１４０の加熱収縮によって台紙１２０上に保持される。
【００４２】
しかるに、起立包装体１００は、台紙１２０の少なくとも起立底辺部１２２が折れ曲がり状にされる。本実施例では、台紙１２０は、起立底辺部１２２（下端部１２１Ｄ）〜上端部１２１Ｕの全長に渡る範囲を折れ曲がり状とし、起立底辺部１２２の底辺に沿う板幅方向の中央部を中央平面１２３Ａとし、中央平面１２３Ａの両側縁部に定めた２条の折れ曲がり部１２３に両側平面１２３Ｂ、１２３Ｂを連設し、両側平面１２３Ｂ、１２３Ｂのそれぞれを中央平面１２３Ａに対して一定の角度、例えば一定の直角に折り曲げている。
【００４３】
ここで、台紙１２０は、中央平面１２３Ａの両側縁部に定めた２条の折れ曲がり部１２３のそれぞれに予め折りぐせ部１２４（実施例１の折りぐせ部２４（２４Ａ〜２４Ｃ）と同じ）を付してある。
【００４４】
起立包装体１００にあっては、実施例１の起立包装体１０と同様にして、加熱収縮された熱収縮フィルム１４０の筒内に挿入されている物品１を台紙１２０上に保持した後、手作業によって台紙１２０の２条の折れ曲がり部１２３（折りぐせ部１２４）が折り曲げ加工され、起立底辺部１２２が折れ曲がり状とされる。
【００４５】
従って、本実施例によれば、実施例１の前述(a)〜(c)と同様の作用効果を奏する。
【００４６】
台紙１２０の両側平面１２３Ｂ、１２３Ｂが中央平面１２３Ａに対して直角に折り曲げられることで、包装体１００の輸送や保管時に、台紙１２０上に保持された物品１の周辺の無駄スペースをより小さくできる。但し、包装体１００の陳列時には、台紙１２０の曲がり状陳列姿勢は、両側平面１２３Ｂ、１２３Ｂを中央平面１２３Ａに対して一定の鈍角をなす如くに変化されるものでも良い。
【００４７】
尚、実施例２において、物品１は、図６に示す如く、熱収縮フィルム１４０を介さずに、台紙１２０の表面に設けた接着剤１３０を用いて直に、台紙１２０の表面に保持されても良い。
【００４８】
（実施例３）（図７、図８）
図７に示した起立包装体２００は、物品１が枠状体（又は箱状体）２２０の一部である枠状台紙２２１（実施例１の台紙２０の材質等と同じ）の枠内表面に沿って保持され、枠状台紙２２１の下端部２２２Ｄが陳列台上に着座する起立底辺部２２３とされる。
【００４９】
枠状体２２０の枠状台紙２２１は、窓開き正面板２２１Ａ、両側面板２２１Ｂ、２２１Ｃ、背面板２２１Ｄの各板を折り曲げ接続した四角筒状をなすものとし、各板２２１Ａ〜２２１Ｄの同一面上に位置する各下端部からなる四角枠状の起立底辺部２２３を備えるものとされる。
【００５０】
枠状体２２０の枠状台紙２２１は、背面板２２１Ｄの上端部に吊り下げフラップ２２１Ｅを連設し、この吊り下げフラップ２２１Ｅに吊り下げ用孔を穿設している。
【００５１】
枠状体２２０の枠状台紙２２１は、下端部２２２Ｄを開口し、起立底辺部２２３の陳列台に対する着座性を良好にしている。また、枠状台紙２２１は、上端部２２２Ｕを開口し、台紙２２１の枠内に保持した物品１が正面板２２１Ａに設けた窓部を通した前方からだけでなく、上端開口部を通した斜め上方からも良く見えるようにしている。
【００５２】
尚、本実施例において、枠状体２２０の起立底辺部２２３と、物品１の下端部とは、概ね同一面上に設定されて陳列台上に着座されるものとしている。但し、物品１の下端部が枠状体２２０の起立底辺部２２３よりも上方にせり上げられていても良い。
【００５３】
物品１は、枠状体２２０における枠状台紙２２１の背面板２２１Ｄの表面（枠内側面）に設けた接着部２３０に接着した筒状の熱収縮フィルム２４０（実施例１の熱収縮フィルム４０の材質等と同じ）の筒内に挿入され、この熱収縮フィルム２４０の加熱収縮によって台紙２２１上に保持される。
【００５４】
しかるに、起立包装体２００は、枠状台紙２２１の少なくとも起立底辺部２２３が前述の如くに四角枠状にされる。本実施例の枠状台紙２２１は、起立底辺部２２３（下端部２２２Ｄ）〜上端部２２０Ｕの全長に渡る範囲を四角枠状としている。
【００５５】
起立包装体２００にあっては、四角枠状の起立底辺部２２３を備えた枠状台紙２２１を用い、枠状台紙２２１における背面板２２１Ｄの表面に接着した熱収縮フィルム２４０の筒内に物品１を挿入し、この熱収縮フィルム２４０の加熱収縮によって物品１を台紙２２１上に保持するものになる。
【００５６】
従って、本実施例によれば、実施例１の前述(a)、(b)と同様の作用効果を奏し、更に、枠状台紙２２１の起立底辺部２２３が四角枠状をなすことにより、起立包装体２００の起立安定性を確実に図ることができる。
【００５７】
尚、実施例３において、枠状体２２０の枠状台紙２２１は、下端部２２２Ｄに底蓋２２４を設け、上端部２２２Ｕに上蓋２２５を設けても良い。このとき、底蓋２２４が起立底辺部２２３を構成するものになる。これにより、起立包装体２００の枠状体２２０（枠状台紙２２１）の枠強度を向上し、起立包装体２００の起立安定性を一層向上できる。
【００５８】
（実施例４）（図９）
図９に示した起立包装体３００は、物品１が台紙３２０（実施例１の台紙２０の材質等と同じ）の表面に沿って保持され、台紙３２０の下端部３２１Ｄが陳列台上に着座する起立底辺部３２２とされる。
【００５９】
尚、本実施例において、台紙３２０の起立底辺部３２２と、物品１の下端部とは、概ね同一面上に設定されて陳列台上に着座されるものとしている。但し、物品１の下端部が台紙３２０の起立底辺部３２２よりも上方にせり上げられていても良い。
【００６０】
物品１は、台紙３２０の起立底辺部３２２の底辺に沿う方向において離隔する２か所の表面に設けた２個の接着部３３１、３３２に接着した筒状の熱収縮フィルム３４０（実施例１の熱収縮フィルム４０の材質等と同じ）の筒内に挿入され、この熱収縮フィルム３４０の加熱収縮によって台紙３２０上に保持される。
【００６１】
このとき、台紙３２０は実施例１の折れ曲がり部２３（折りぐせ部２４）を付されない平板状とされる。そして、２個の接着部３３１、３３２は、台紙３２０の上下方向で、台紙３２０の下端部３２１Ｄ（起立底辺部３２２）から、物品１の全高さＨの30〜50％の高さ範囲、好適には40％の高さ範囲となる下端側範囲Ｌに限定される。
【００６２】
起立包装体３００にあっては、台紙３２０の表面に接着された筒状の熱収縮フィルム３４０に挿入された物品１が、熱収縮フィルム３４０の加熱収縮によって台紙３２０上に保持されるとき、台紙３２０において相隣る接着部３３１、３３２が設けられていて相隣る部分、換言すれば台紙３２０の下端側範囲Ｌの部分には、熱収縮フィルム３４０の熱収縮に起因する強い引き寄せ力が作用するものになる。この結果、台紙３２０は熱収縮フィルム３４０を介して保持されている物品１の周囲で、上下方向の下端部３２１Ｄの側を強くつぼませた湾曲状の起立底辺部３２２とする。台紙３２０は、上下方向に沿う各位置の横断面における湾曲の曲率半径を、起立底辺部３２２の側から上端部３２１Ｕの側に向かう上向きに次第に大きくするように連続的に拡開し、上端部３２１Ｕを大曲率半径の湾曲状、又は湾曲しない平板状とする。
【００６３】
従って、本実施例にあっても、実施例１の前述(a)〜(c)と同様の作用効果を奏し、併せて、特異な美的外観を備えた起立包装体３００を提供し得るものになる。
【００６４】
尚、起立包装体３００の変形例として、台紙３２０に設けられる２個の接着部３３１、３３２を台紙３２０の上下方向の上端寄りとなる上端側範囲にのみ限定しても良い。このとき、起立包装体３００は、台紙３２０の上端側範囲を強くつぼませ、上下方向に沿う各位置の横断面における湾曲の曲率半径を下向きに次第に大きくするように連続的に拡開させた外観を備えるものになる。
【００６５】
（参考例）（図１０）
図１０に示した起立包装体４００は、物品１が台紙４２０の表面に設けた接着部４３０に接着された熱収縮フィルム４４０の筒内に挿入され、この熱収縮フィルム４４０の加熱収縮によって台紙４２０上に保持されるものになる。この起立包装体４００は、台紙４２０の下端部４２１Ｄの起立底辺部４２２と、物品１の下端部とが、概ね同一面上に設定されて陳列台上に着座される。
【００６６】
起立包装体４００は、台紙４２０の上端部４２１Ｕに吊り下げフラップ４２３を連設し、この吊り下げフラップ４２３に吊り下げ用孔を穿設している。
【００６７】
しかるに、起立包装体４００にあっては、陳列段階では吊り下げフラップ４２３を台紙４２０と同一平面上に展開するものの（図１０（Ａ））、輸送又は保管段階では吊り下げフラップ４２３を台紙４２０の上端部４２１Ｕに対して物品１が保持されている前方に向けて折り曲げ、全高を低くする。これにより、輸送又は保管スペースを減縮し、輸送又は保管コストを低減できる。
【００６８】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００６９】
本発明によれば、陳列台上に安定的に起立できる台紙付き起立包装体を提供することができる。
【００７０】
また、本発明によれば、輸送又は保管スペースを減縮できる台紙付き起立包装体を提供することができる。
【符号の説明】
【００７１】
１  物品
１０、１００、２００、３００  起立包装体
２０、１２０、２２１、３２０  台紙
２２、１２２、２２３、３２２  起立底辺部
３０、３１、３２、１３０、２３０、３３１、３３２  接着部
４０、１４０、２４０、３４０  熱収縮フィルム
【図１】
2016050008.tif 000003
【図２】
2016050008.tif 000004
【図３】
2016050008.tif 000005
【図４】
2016050008.tif 000006
【図５】
2016050008.tif 000007
【図６】
2016050008.tif 000008
【図７】
2016050008.tif 000009
【図８】
2016050008.tif 000010
【図９】
2016050008.tif 000011
【図１０】
2016050008.tif 000012